(57)【要約】ヘッダアセンブリ（１００）は、中心コンタクト及び誘電体を保持する導電性の外部ハウジング（１１０）を含む。外部ハウジングは、後部シェルと、後部シェルから前方に延出する外部コンタクト（１２０）とを有する。外部コンタクトは、外部コンタクトから延出し且つ後部シェルの前方に配置された係止部（１４４）を有する。ヘッダアセンブリは、外部コンタクトに連結されたノーズコーン（１１６）を含む。ノーズコーンは、プラスチック材料から製造される。ノーズコーンは、外部コンタクトを包囲する。ノーズコーンは、その外部に沿ってキーイングリブを有する。ノーズコーンは、ノーズコーンを外部ハウジングに固定するために係止部と係合するラッチ（１７６）を有する。
2015536554.tif 000002
【特許請求の範囲】
【請求項１】
中心コンタクト（１１２）と、
前記中心コンタクトを包囲する誘電体（１１４）と、
前記中心コンタクト及び前記誘電体を保持する外部ハウジング（１１０）であって、前記外部ハウジングは、導電性であり、前記中心コンタクトに電気的遮蔽を行い、前記外部ハウジングは、後部シェル（１２２）と、前記後部シェルから前方に延出する外部コンタクト（１２０）とを有し、前記外部コンタクトが、前記外部コンタクトから延出し且つ前記後部シェルの前方に配置される係止部（１４４）を有し、前記外部コンタクトが、前記誘電体及び前記中心コンタクトを受容する外部ハウジング（１１０）と、
前記外部コンタクトに連結されたノーズコーン（１１６）であって、前記ノーズコーンは、非導電性材料から製造され、前記ノーズコーンは、前記外部コンタクトを包囲し、前記ノーズコーンは、その外部に沿ってキーイングリブ（１１８）を有し、前記ノーズコーンは、前記外部ハウジングに前記ノーズコーンを固定するために前記係止部に係合するラッチ（１７６）を有するノーズコーン（１１６）と
を備えるヘッダアセンブリ（１００）。
【請求項２】
前記ノーズコーン（１１６）は、前記外部コンタクト（１２０）に取外し可能に転結される請求項１記載のヘッダアセンブリ（１００）。
【請求項３】
前記ノーズコーン（１１６）は、少なくとも２つの異なる半径方向の位置に前記外部コンタクト（１２０）上で可変的に配置可能である請求項１記載のヘッダアセンブリ（１００）。
【請求項４】
前記係止部（１４４）は主係止部であり、
前記外部コンタクト（１２０）は、主係止部とは反対側に副係止部（１４６）を有し、
前記ノーズコーンは、前記外部ハウジングに対する前記キーイングリブ（１１８）の向きを変えるために前記主係止部又は前記副係止部のいずれかに連結される請求項１記載のヘッダアセンブリ（１００）。
【請求項５】
前記外部ハウジング（１１０）は、前記外部コンタクトの外部に沿って延在する回転防止レール（１４２）を含み、
前記ノーズコーンは、前記ノーズコーンが前記外部コンタクトに連結される時に前記回転防止レールを受容する回転防止スロットを備え、
前記回転防止レール及び回転防止スロット（１９２）は、前記外部コンタクトに対する前記ノーズコーンの半径方向の位置を保持する請求項１記載のヘッダアセンブリ（１００）。
【請求項６】
前記ノーズコーン（１１６）は、前記ラッチ（１７６）とは反対側にポケット（１９０）を含み、
前記ノーズコーンは、前記外部コンタクト上に異なる向きに配置可能であり、
前記ノーズコーンの第１の向きでは、前記ラッチが前記係止部に係合し、前記ノーズコーンの第２の向きでは、前記ポケットが前記係止部を受容する請求項１記載のヘッダアセンブリ（１００）。
【請求項７】
前記後部シェル（１２２）は、略箱形であり、前壁（１２４）を含み、
前記外部コンタクト（１２０）は、円筒形であり、前記前壁から前方に延出する請求項１記載のヘッダアセンブリ（１００）。
【請求項８】
前記後部シェル（１２２）は、略箱形であり、前壁（１２４）と、頂壁（１２６）と、回路基板（１０２）に取り付けられるように構成された底部（１２８）とを含み、
前記ノーズコーンは、前記頂壁及び底部に対する前記キーイングリブ（１１８）の向きを変えるために前記外部ハウジング（１１０）に対して可変的に配置可能である請求項１記載のヘッダアセンブリ（１００）。
【請求項９】
前記ノーズコーン（１１６）と前記後部シェル（１２２）の間に配置されたシールド部材（１０４）を更に備え、
前記シールド部材は、接地された電子部品と係合するように構成された撓み可能なシールドフィンガ（１８６）を有し、
前記シールド部材は、前記外部ハウジング（１１０）と前記接地された電子部品の間に接地路を形成するために前記外部ハウジングに電気的に接続される請求項１記載のヘッダアセンブリ（１００）。
【発明の詳細な説明】
【技術分野】
【０００１】
本明細書の主題は、一般に、ヘッダアセンブリに関する。
【背景技術】
【０００２】
グローバル・ポジショニング・システム（ＧＰＳ）、カーラジオ、携帯電話、エアバッグシステム、及びマルチメディアデバイス等の、数多くの自動車用途のために、無線周波数（ＲＦ）同軸コネクタアセンブリが使用されている。コネクタアセンブリの中には、同軸ケーブルの端部に接続される同軸ケーブルアセンブリがある。同軸ケーブルは、典型的には、外部導体と、内部導体と、誘電体と、被覆即ち外部絶縁体によって構成される。ケーブルの外部導体及び内部導体は、雄型又は雌型コネクタであってもよいコネクタの対応する内部コンタクト及び外部コンタクトと電気的に結合される。コネクタアセンブリの中には、ケーブルではなく回路基板に接続されるものもある。このような基板取付けアセンブリは、同軸ケーブルアセンブリと結合するために、中心コンタクトと、中心コンタクトを包囲する外部コンタクトによって画定される同軸インターフェースを含む。両コンタクトは、回路基板に接続される。
【０００３】
様々な種類のコネクタを規格化し、それによって混乱を回避するために、特定の工業規格が確立されている。これらの規格の１つはＦＡＫＲＡと呼ばれる。ＦＡＫＲＡは、ドイツ規格化機構における自動車規格委員会であり、自動車分野における国際規格化の利益を代表している。ＦＡＫＲＡ規格は、正しいコネクタの取付けのためのキーイング及びカラーコーディングに基づいて、システムを提供している。ＦＡＫＲＡのコネクタのキーイング及び色識別機能部は、典型的には、外部ハウジング上に存在する。ＦＡＫＲＡのコネクタアセンブリでは、同様の雄型キーは、同様の雌型キー溝にのみ接続することができる。雄型ハウジング上のＦＡＫＲＡによって定義された係止部と、雌型ハウジング上の協働ラッチによって、コネクタハウジングの確実な位置決め及びロックが容易になる。
【発明の概要】
【発明が解決しようとする課題】
【０００４】
ＦＡＫＲＡコネクタの典型的な製品群は、数多くの異なる外部ハウジングを含み、各外部ハウジングは、特定のキー配列を形成するために異なる成形金型又はダイ又はツールインサートを有する。多くの異なる成形金型又はダイを製造するのは費用が掛かる。更に、顧客に対して所望のキーイング形状毎に異なる部品を持ってくるように要求することは、在庫及び在庫の保管費という点で顧客に更なる費用を負わせることになる。
【課題を解決するための手段】
【０００５】
前記問題の解決策は、本明細書に記述されるヘッダアセンブリによって提供される。本ヘッダアセンブリは、中心コンタクトと、前記中心コンタクトを包囲する誘電体と、前記中心コンタクトと前記誘電体とを保持する外部ハウジングとを含む。前記外部ハウジングは導電性であり、前記中心コンタクトの電気的遮蔽を行う。前記外部ハウジングは、後部シェルと、前記後部シェルから前方に延出する外部コンタクトとを有する。前記外部コンタクトは、前記外部コンタクトから延出し且つ前記後部シェルの前方に配置される係止部を有する。前記外部コンタクトは、前記誘電体及び前記中心コンタクトを受容する。前記外部コンタクトにはノーズコーンが連結される。前記ノーズコーンは、プラスチック材料から製造される。前記ノーズコーンは、前記外部コンタクトを包囲する。前記ノーズコーンは、その外部に沿ってキーイングリブ及び色識別部を有する。前記ノーズコーンは、前記ノーズコーンを前記外部ハウジングに固定するために前記係止部と係合するラッチを有する。
【図面の簡単な説明】
【０００６】
本発明は、添付の図面を参照して一例として以下に記述される。
【０００７】
【図１】一例示的実施形態に従って形成されたヘッダアセンブリの正面の斜視図である。
【０００８】
【図２】ヘッダアセンブリの分解斜視図である。
【０００９】
【図３】その外部ハウジングに連結される前のノーズコーンを示す、ヘッダアセンブリの平面の斜視図である。
【００１０】
【図４】外部ハウジングの正面図である。
【００１１】
【図５】第１の向きにおけるノーズコーンの背面図である。
【００１２】
【図６】外部ハウジングに連結されたノーズコーンを示す、ヘッダアセンブリの正面の部分断面斜視図である。
【００１３】
【図７】外部ハウジングに連結されたノーズコーンを示す、ヘッダアセンブリの側面の断面図である。
【００１４】
【図８】外部ハウジング及びノーズコーンを含むヘッダアセンブリの正面の斜視図である。
【００１５】
【図９】図８に示す外部ハウジングの正面図である。
【００１６】
【図１０】対応する外部ハウジングに対して異なる角度の向きにあるノーズコーンを示す。
【図１１】対応する外部ハウジングに対して異なる角度の向きにあるノーズコーンを示す。
【図１２】対応する外部ハウジングに対して異なる角度の向きにあるノーズコーンを示す。
【図１３】対応する外部ハウジングに対して異なる角度の向きにあるノーズコーンを示す。
【発明を実施するための形態】
【００１７】
図１は、一例示的実施形態に従って形成されたヘッダアセンブリ１００の正面の斜視図である。ヘッダアセンブリ１００は、通信システムの部品を収容するケーシングを有するラジオ等の装置に取り付けられてもよい。ヘッダアセンブリ１００は、対応するコネクタアセンブリ（図示せず）と嵌合するために装置のケーシングの開口を通ってもよい。
【００１８】
ヘッダアセンブリ１００は回路基板１０２に取り付けられ、回路基板１０２は、例えば自動車用の通信システムの一部を形成してもよい。例えば、通信システムは、グローバル・ポジショニング・システム（ＧＰＳ）、カーラジオ、携帯電話、エアバッグシステム、マルチメディアデバイス等の自動車用途において使用されてもよい。このシステムは、航空用途、海洋用途、軍事用途、工業用途等の他の種類の用途において利用されてもよい。回路基板１０２は、アンテナの一部を形成してもよい。回路基板１０２は、無線周波数（ＲＦ）システムの一部を形成してもよい。
【００１９】
図示の実施形態では、ヘッダアセンブリ１００は、対応する雌型アセンブリ（図示せず）と嵌合されるように構成された雄型アセンブリを構成している。一例示的実施形態では、ヘッダアセンブリ１００は、ＦＡＫＲＡの規格化コネクタ等の規格化コネクタである。ヘッダアセンブリ１００は、所望のＦＡＫＲＡの仕様に従って設計された特徴を有する。例えば、ヘッダアセンブリ１００は、特定のキーイング形状を有してもよい。
【００２０】
一例示的実施形態では、ヘッダアセンブリ１００は、ＦＡＫＲＡのコネクタの製品群の一部である。この製品群は、多くの異なるキーイング形状を含む。ヘッダアセンブリ１００の設計は、製品群を完成させるのに必要な部品点数を減少する。例えば、ヘッダアセンブリ１００によって、キーイング形状毎に１つの特定の部品を必要とすることなく異なるキーイングの組み合わせを得るために、部品同士が適切に組み合わされ、様々に連結される。頑健なヘッダアセンブリ設計により、製品群を製造するコスト全体が減少される。ヘッダアセンブリ設計１００によって、顧客が在庫として必要とする総部品点数が減少される。
【００２１】
ヘッダアセンブリ１００は、シールド部材１０４が取り付けられている。任意ではあるが、シールド部材１０４は、装置のケーシングの開口において遮蔽を行うために使用されてもよい。シールド部材１０４は、ヘッダアセンブリ１００を装置のケーシングに電気的に接続するために使用される。例えば、シールド部材１０４は、ケーシングとヘッダアセンブリ１００との間に直接的な電気路を形成してもよい。
【００２２】
図２は、ヘッダアセンブリ１００の分解斜視図である。ヘッダアセンブリ１００は、外部ハウジング１１０と、中心コンタクト１１２と、誘電体１１４と、シールド部材１０４と、ノーズコーン１１６とを含む。中心コンタクト１１２及び誘電体１１４は、外部ハウジング１１０内に受容される。シールド部材１０４は、外部ハウジング１１０に連結される。ノーズコーン１１６は、相手コネクタ（図示せず）に対する嵌合インターフェースを画定するために外部ハウジング１１０の前部に連結される。ノーズコーン１１６は、外部コンタクト１２０を受容して包囲する。
【００２３】
一例示的実施形態では、ヘッダアセンブリ１００の嵌合端は、ＦＡＫＲＡに準拠したコネクタを定義する。ノーズコーン１１６は、ＦＡＫＲＡの仕様に従ってキーイングされたインターフェースを提供する。例えば、ノーズコーン１１６は、その外表面上に１つ以上のキーイングリブ１１８を含む。ノーズコーン１１６は、色識別部を有してもよい。キーイングリブ１１８の大きさ、形状や向きを利用して、異なるＦＡＫＲＡのインターフェースを画定してもよい。任意ではあるが、製造群の範囲内では、異なる配置のキーイングリブ１１８を有する異なるノーズコーン１１６が設けられてもよい。異なるキーイング形状を定義するために、異なるノーズコーン１１６が外部ハウジング１１０に連結されてもよい。一例示的実施形態では、以下に更に詳細に記述するように、ノーズコーン１１６は、異なるキーイング形状を画定するために外部ハウジング１１０に異なる向きに連結されてもよい。例えば、ある向きでは、キーイングリブ１１８は、ヘッダアセンブリ１００の上部に設けられることができ、別の向きでは、ノーズコーン１１６は、キーイングリブ１１８がヘッダアセンブリ１００の底部に設けられるように１８０度回転させてもよい。任意ではあるが、例えば、キーイングリブ１１８が右に又は左に対向するように、ノーズコーン１１６が他の半径方向の向きに配置される、その他の外部ハウジングが設けられてもよい。他の一実施形態では、ヘッダアセンブリ１００は、異なる規格に対して又は異なる種類の相手コネクタと嵌合するように設計されてもよい。
【００２４】
外部ハウジング１１０は、外部コンタクト１２０と後部シェル１２２とを有する。外部ハウジング１１０は、金属材料等の導電性材料から製造される。一例示的実施形態では、外部ハウジング１１０はダイキャスト鋳造されているが、外部ハウジング１１０は、他の実施形態では、打抜き及び曲げ等のその他の方法によって製造されてもよい。外部ハウジング１１０は、遮蔽部材１０４を介して、例えば、回路基板１０２（図１に示す）、相手コネクタ、及び装置のケーシングに電気的に接地されるように構成される。外部ハウジング１１０は、中心コンタクト１１２の全長に沿って中心コンタクト１１２の電気的遮蔽を行う。
【００２５】
後部シェル１２２は略箱形だが、後部シェル１２２は、他の実施形態では他の形状を有してもよい。図示の実施形態では、後部シェル１２２は前壁１２４を含む。後部シェル１２２は、開口した底部１２８の反対側に上壁１２６を含む。後部シェル１２２は、前壁１２４から後方に延出する側壁１３０を含む。後部シェル１２２の壁は、中心コンタクト１１２を受容するレセプタクル１３２を画定する。
【００２６】
後部シェル１２２は、レセプタクル１３２及び中心コンタクト１１２の周囲に電気的遮蔽を行う。後部シェル１２２の開口した底部１２８は、回路基板１０２に直接取り付けられてもよい。中心コンタクト１１２は、後部シェル１２２内に延出し、回路基板１０２への接続のために開口した底部１２８に沿って露出する。例えば、中心コンタクト１１２は、回路基板１０２に半田付けされること等によって、回路基板１０２に表面実装されてもよい。
【００２７】
後部シェル１２２は、底部１２８から延出する取付ポスト１３４を含む。取付けポスト１３４は、回路基板１０２に対して外部ハウジング１１０を位置決めするために、回路基板１０２の対応する開口内に装着されてもよい。取付けポスト１３４は、回路基板１０２に電気的に接続されてもよい。例えば、回路基板１０２の開口はめっきされてもよく、取付けポスト１３４は、その開口内に半田付けされてもよい。他の実施形態では、回路基板に対して外部ハウジング１１０を位置決めしたり固定したりするために、その他の種類の機能部が設けられてもよい。
【００２８】
他の一実施形態では、ヘッダアセンブリは、直角のヘッダアセンブリではなく、嵌合端の反対側に底部を有する垂直なヘッダアセンブリでもよい。中心コンタクトは、回路基板に垂直に延在することができ、圧入によって接続されてもよい。他の実施形態では、ヘッダアセンブリは、回路基板に取り付けられるのではなく、ケーブルに取り付けられてもよい。
【００２９】
外部コンタクト１２０は、後部シェル１２２の前壁１２４から前方に延出する。任意ではあるが、外部コンタクト１２０は、円筒形でもよい。外部コンタクト１２０は、誘電体１１４を受容する孔１４０を含む。誘電体１１４は、中心コンタクト１１２の電気的遮蔽を行うために、外部コンタクト１２０の孔１４０内に保持され、中心コンタクト１１２を包囲する。
【００３０】
一例示的実施形態では、外部コンタクト１２０は、後部シェル１２２の前壁１２４に近接する回転防止レール１４２を含む。回転防止レール１４２は、外部ハウジング１１０上の適切な位置にノーズコーン１１６を保持するために使用される。回転防止レール１４２は、外部ハウジング１１０に対するノーズコーン１１６の回転を防止する。図示の実施形態では、回転防止レール１４２は、外部コンタクト１２０の両側の３時の位置及び９時の位置に設けられている。他の実施形態では他の位置が可能である。
【００３１】
一例示的実施形態では、外部コンタクト１２０は、後部シェル１２２の前壁１２４に近接する主係止部１４４を含む。外部コンタクト１２０は、主係止部１４４と略反対側に副係止部１４６（図４に示す）を含む。図示の実施形態では、主係止部１４４は、１２時の位置に配置され、副係止部１４６は、６時の位置に配置される。他の実施形態では、その他の位置が可能である。
【００３２】
ノーズコーン１１６は、主係止部１４４又は副係止部１４６を使用して外部ハウジング１１０に連結されるように構成される。例えば、ノーズコーン１１６は、ノーズコーンを主係止部１４４に固定することによって外部ハウジング１１０に対して第１の向きに連結されてもよい。或いは、ノーズコーン１１６は、ノーズコーン１１６を１８０°回転し、ノーズコーン１１６を副係止部１４６に固定することによって外部ハウジング１１０に対して第２の向きに連結されてもよい。従って、同一の外部ハウジング１１０及びノーズコーン１１６によって、２つの異なるキーイング形状が得られる。
【００３３】
中心コンタクト１１２は、嵌合端１５０と接続端１５２との間に延在する。図示の実施形態では、嵌合端１５０はピンを構成しているが、他の実施形態では、その他の種類の嵌合インターフェースが設けられてもよい。例えば、嵌合端１５０は、ソケット、ブレード、可撓性ばね梁、又はその他の種類の嵌合インターフェースとしてもよい。接続端１５２は、回路基板１０２に接続されるように構成される。任意ではあるが、接続端１５２は、例えば、半田ボール、可撓性ばね、又はその他の種類のインターフェースを使用して、回路基板１０２に表面実装されてもよい。他の一実施形態では、接続端１５２は、回路基板１０２の対応するバイアに対するスルーホール実装のためのストレートピン又はニードルアイ型のピン等のコンプライアントピンを含むことができる。
【００３４】
誘電体１１４は、プラスチック材料等の非導電性材料から製造される。誘電体１１４は、射出成形法から製造されてもよい。誘電体１１４は、前部１６０と後部１６２との間に延在する。一例示的実施形態では、誘電体１１４は円筒形である。誘電体１１４は、前部１６０と後部１６２の間に延在する孔１６４を含む。孔１６４は、内部に中心コンタクトを受容する。
【００３５】
一例示的実施形態では、誘電体１１４は、誘電体１１４の外表面に沿って長手方向に延在する１つ以上のリブ１６６を含む。リブ１６６は、外部コンタクト１２０の孔１４０内に誘電体１１４を配置するために使用されてもよい。リブ１６６は、外部コンタクト１２０内で誘電体１１４の回転を防止してもよい。
【００３６】
ノーズコーン１１６は、プラスチック材料等の非導電性材料から製造される。ノーズコーン１１６は、射出成形法によって製造されてもよい。ノーズコーン１１６は、略円筒形であり、前部１７０と後部１７２との間に延在する。キーイングリブ１１８は、ノーズコーン１１６の外表面に沿って延在する。ノーズコーン１１６は、前部１７０と後部１７２の間に延在する孔１７４を含む。ノーズコーン１１６は、外部コンタクト１２０が孔１７４に受容されるように、外部ハウジング１１０の前部上に装着されるように構成される。
【００３７】
ノーズコーン１１６は、ノーズコーン１１６を外部ハウジング１１０に固定するために使用されるラッチ１７６を含む。ラッチ１７６は、ノーズコーン１１６を外部ハウジング１１０に固定するために係止部１４４，１４６の一方と係合するように構成される。例えば、第１の向きでは、ラッチ１７６は、主係止部１４４と係合するが、第２の向きでは、ラッチ１７６は副係止部１４６と係合する。外部ハウジング１１０に対するキーイングリブ１１８の向きは、第２の向きと比べて、第１の向きでは異なる。
【００３８】
シールド部材１０４は、シールド部材１０４が、装置のケーシングの開口の遮蔽を行うように外部ハウジング１１０に連結されるように構成される。シールド部材１０４は、ケーシングと外部ハウジング１１０との間に導電路を形成してもよい。シールド部材１０４は、回路基板１０２とケーシングとの間に導電路を形成してもよい。シールド部材１０４は、略、後部シェル１２２とノーズコーン１１６との間で外部ハウジング１１０に連結されるように構成される。ノーズコーン１１６は、外部ハウジング１１０上にシールド部材１０４を保持してもよい。ノーズコーン１１６は、シールド部材１０４と外部ハウジング１１０との間の電気的接触を保証するために後部シェル１２２に対してシールド部材１０４を押圧してもよい。シールド部材１０４は、シールド部材１０４が、外部コンタクト１２０に電気的且つ機械的に接続されるように外部コンタクト１２０に連結される。
【００３９】
シールド部材１０４は、金属材料等の導電性材料から製造される。シールド部材１０４は、打ち抜き及び曲げ加工によって製造されてもよい。シールド部材１０４は、貫通する開口１８２を有するプレート１８０を含み、開口１８２内にはばねコンタクト１８４が延出している。ばねコンタクト１８４は、シールド部材１０４を外部コンタクト１２０と機械的及び電気的に接続するために外部コンタクト１２０と係合する。プレート１８０からは複数のばねフィンガ１８６が延出している。ばねフィンガ１８６は、ヘッダアセンブリ１００がケーシングに連結される時にケーシングに対してばね付勢されるように構成される。
【００４０】
図３は、外部ハウジング１１０に連結される前のノーズコーン１１６を示すヘッダアセンブリ１００の平面の斜視図である。ノーズコーン１１６の後部１７２では、ノーズコーン１１６は、ラッチ１７６の略反対側にポケット１９０を含む。ポケット１９０は、外部コンタクト１２０に装着された時のノーズコーン１１６の向きに応じて、副係止部１４６又は主係止部１４４を受容するように構成される。図３に示す向きでは、ラッチ１７６は、主係止部１４４と係合するように構成される。ポケット１９０は、副係止部１４６（図４に示す）を受容するように構成される。ポケット１９０は、ノーズコーン１１６が外部ハウジング１１０に連結される時、副係止部１４６のための空間を提供する。他の一実施形態では、ノーズコーン１１６は、ポケット１９０ではなく、主係止部１４４と副係止部１４６を係合させるように構成された２つのラッチを含んでもよい。
【００４１】
ノーズコーン１１６の後部１７２では、ノーズコーン１１６は、外部ハウジング１１０の回転防止レール１４２を受容する回転防止スロット１９２を含む。回転防止スロット１９２は、孔１７４の両側に設けられる。図示の実施形態では、回転防止スロット１９２は、ラッチ１７６とポケット１９０に対して直交するように配置される。例えば、ラッチ１７６は、１２時の位置に配置され、ポケット１９０は、６時の位置に配置され、回転防止スロット１９２は、３時及び９時の位置に配置されてもよい。ノーズコーン１１６が外部ハウジング１１０に連結される時、回転防止スロット１９２は、回転防止レール１４２を受容する。回転防止スロット１９２及び回転防止レール１４２は、外部コンタクト１２０に対するノーズコーン１１６の半径方向の位置を保持する。
【００４２】
図４は、外部ハウジング１１０の正面図である。外部コンタクト１２０は、後部シェル１２２の前壁１２４から前方に延出している。回転防止レール１４２は、外部コンタクト１２０から外方に延出している。一例示的実施形態では、回転防止レール１４２は、互いから１８０°に配向される。主係止部１４４及び副係止部１４６は、外部コンタクト１２０から反対方向に延出している。一例示的実施形態では、副係止部１４６は、主係止部１４４から１８０°に配向されている。回転防止レール１４２は、係止部１４４，１４６に略直交して配置される。図示の実施形態では、主係止部１４４は、１２時の位置に配置される。副係止部１４６は、６時の位置に配置される。回転防止レール１４２は、３時及び９時の位置に配置される。
【００４３】
係止部１４４，１４６は、主係止部１４４又は副係止部１４６のいずれかがノーズコーン１１６（図３に示す）のラッチ１７６（図３に示す）を保持するために使用されてもよいように互いに同一である。回転防止レール１４２は、ノーズコーン１１６が正規の向き又は逆の向きのいずれかに取り付けられてもよいように配置される。
【００４４】
図５は、上部にポケット１９０と底部にラッチ１７６を有するように配向されたノーズコーン１１６の背面図である。例えば、ポケット１９０は、１２時の位置に配置され、ラッチ１７６は、６時の位置に配置される。ノーズコーン１１６が外部ハウジング１１０（図４に示す）に対してこのような向きに連結される時、ポケット１９０は、主係止部１４４（図４に示す）を受容し、ラッチ１７６は、副係止部１４６（図４に示す）と係合する。
【００４５】
図６は、外部ハウジング１１０に連結されたノーズコーン１１６を示すヘッダアセンブリ１００の正面の部分断面斜視図である。図７は、外部ハウジング１１０に連結されたノーズコーン１１６を示すヘッダアセンブリ１００の側面の断面図である。ノーズコーン１１６は、ラッチ１７６が、対応する係止部１４４に係合するまで、後部シェル１２２に向かって外部コンタクト１２０を覆うように装着される。
【００４６】
図示の実施形態では、ラッチ１７６は、主係止部１４４と係合する。ラッチ１７６は、ノーズコーン１１６を外部ハウジング１１０に固定するために係止部１４４の係止表面１９４の背後で捕捉される。ラッチ１７６は、ノーズコーン１１６を取り外すためにラッチ１７６を係止部１４４上方に持ち上げることによって解除されてもよい。ポケット１９０は、副係止部１４６を受容する。ポケット１９０は、副係止部１４６のためにノーズコーン１１６内に空間を提供する。
【００４７】
一例示的実施形態では、ノーズコーン１１６は、ラッチ１７６が副係止部１４６と係合するように、１８０°反転即ちひっくり返され、外部ハウジング１１０に連結されてもよい。このような向きでは、ポケット１９０は、主係止部１４４を受容し、主係止部１４４のためにノーズコーン１１６に空間を提供する。外部ハウジング１１０上にノーズコーン１１６の２つの嵌合の向きを有することにより、同一のノーズコーン１１６と共に同一の外部ハウジングを使用してヘッダアセンブリ１００に異なるキーイング形状が提供される。
【００４８】
他の実施形態では、ノーズコーン１１６は、より多くのキーイング形状を提供するために、３つ以上の係合部を有してもよい。例えば、外部ハウジング１１０は、回転防止レール１４２及び回転防止スロット１９２を有するのではなく、４つの直交に配置された係止部を含むことができ、ノーズコーン１１６は、ラッチされていない係止部を収容するための更なるポケット又はラッチを含むことができる。ポケットは、外部ハウジング１１０に対するノーズコーン１１６の回転に抵抗するために締まり嵌めによって係止部に係合してもよい。
【００４９】
図８は、外部ハウジング２１０とノーズコーン１１６とを含むヘッダアセンブリ２００の正面の斜視図である。図９は、一例示的実施形態に従って形成された外部ハウジング２１０の正面図である。外部ハウジング２１０は、外部ハウジング１１０（図２に示す）と類似であるが、外部ハウジング２１０は、異なる配置の係止部と回転防止レールを有する。外部ハウジング２１０は、外部コンタクト２２０と後部シェル２２２とを含む。外部コンタクト２２０は、後部シェル２２２の前壁２２４から前方に延出する。
【００５０】
外部ハウジング２１０は、主係合部２２６と、主係合部２２６の反対側の副係止部２２８とを含む。副係止部２２８は、主係止部２２６から１８０°に配置される。図示の実施形態では、主係止部２２６は、例えば３時の位置に外部コンタクト２２０の側面に沿って配置される。副係止部２２８は、例えば９時の位置に外部コンタクト２２０の側面に沿って配置される。
【００５１】
外部ハウジング２１０は、外部コンタクト２２０に沿って延在する回転防止レール２３０を含む。回転防止レール２３０は、主係止部及び副係止部２２６，２２８に対して略直交に配置される。図示の実施形態では、回転防止レール２３０は、１２時の位置及び６時の位置に配置される。
【００５２】
更に図４を参照すると、係止部２２６，２２８及び回転防止レール２３０の位置を除き、外部ハウジング２１０は、外部ハウジング１１０と同一としてもよい。一例示的実施形態では、係止部２２６，２２８は、外部ハウジング１１０の係止部１４４，１４６の向きから９０°ずれて配向されている。回転防止レール２３０は、回転防止レール１４２から９０°ずれて配向されている。係止部１４４，１４６とは異なる角度位置に係止部２２６，２２８を有することにより、ノーズコーン１１６が、外部ハウジング１１０と比較して異なる角度の向きで外部ハウジング２１０に連結される。例えば、ノーズコーン１１６は、外部ハウジング１１０上のノーズコーン１１６の取付箇所の角度位置と比較して９０°又は２７０°である角度位置で外部ハウジング２１０に連結されてもよい。
【００５３】
図１０乃至図１３は、異なる角度の向きにある複数のノーズコーン３００，３０２，３０４，３０６，３０８を示す。ノーズコーン３００乃至３０８の各々は、異なる組み合わせのキーイングリブ３１０を有する。ノーズコーン３００乃至３０８の各々は、相手電気コネクタと嵌合した時に相手電気コネクタの対応する嵌合ラッチと係合するために使用される嵌合ラッチ３１２を含む。図示の実施形態では、キーイングリブ３１０は、箇所Ａ、Ｂ、Ｃ、Ｄ及びＥで指定される５つの異なる位置のいずれかに位置決めされるが、その他のキーイングリブの箇所を有するその他の実施形態は可能である。箇所Ａに位置決めされるキーイングリブは、キーイングリブ３２０として指定される。箇所Ｂに位置決めされるキーイングリブは、キーイングリブ３２２として指定される。箇所Ｃに位置決めされるキーイングリブは、キーイングリブ３２４として指定される。箇所Ｄに位置決めされるキーイングリブは、キーイングリブ３２６として指定される。箇所Ｅに位置決めされるキーイングリブは、キーイングリブ３２８として指定される。
【００５４】
図示の実施形態では、ノーズコーン３００は、キーイングリブ３２０，３２２を含む。ノーズコーン３０２は、キーイングリブ３２０，３２４を含む。ノーズコーン３０４は、キーイングリブ３２０，３２６を含む。ノーズコーン３０６は、キーイングリブ３２２，３２４を含む。ノーズコーン３０８は、キーイングリブ３２６，３２８を含む。他の実施形態では、ＳＡＥ／ＵＳＣＡＲ−１８及びＤＩＮ７２５９４−１に示されるように、その他の組み合わせのキーイングリブ３１０が可能である。
【００５５】
図１０乃至図１３を参照すると、ノーズコーン３００乃至３０８によって、ノーズコーン３００乃至３０８の角度の向きに応じて、異なるキーイング形状が得られる。例えば、ノーズコーン３００乃至３０８のいずれも、外部ハウジング（図４に示す）又は外部ハウジング２１０（図９に示す）のいずれかに取り付けられてもよい。上述のように、外部ハウジング１１０は、異なる向き（例えば、正規の又は逆の）にノーズコーンを受け入れるように構成される。同様に、外部ハウジング２１０は、異なる向きの（例えば、正規の又は逆の）ノーズコーンを受容するように構成される。
【００５６】
図４及び図９を更に参照して、外部ハウジング１１０，２１０が比較することができる。外部ハウジング１１０は、第１の外部ハウジングを画定し、第１の外部ハウジング１１０と呼んでもよい。外部ハウジング２１０は、第２の外部ハウジングを画定し、第２の外部ハウジング２１０と呼んでもよい。第１の外部ハウジング１１０の部品は、第２の外部ハウジング２１０と区別するために「第１の」として識別されてもよく、第２の外部ハウジング２１０の部品は、「第２の」として識別されてもよい。第１及び第２の外部ハウジング１１０，２１０は、両方とも、ノーズコーン１１６又はノーズコーン３００乃至３０８のいずれかを受容するように構成される。第１の外部ハウジング１１０は、第１の後部シェル１３０と、第１の後部シェル１３０から前方へ延出する第１の外部コンタクト１２０とを含む。第１の外部コンタクト１１０は、第１の外部コンタクト１１０から延出し且つ第１の後部シェル１３０の前方に配置される第１の係止部１４４を有する。第１の係止部１４４は、第１の外部コンタクト１２０に沿って第１の半径方向の位置に位置決めされる。第２の外部ハウジング２１０は、第２の後部シェル２２２と、第２の後部シェル２２２から前方に延出する第２の外部コンタクト２２０とを有する。第２の外部コンタクト２１０は、第２の外部コンタクト２１０から延出し且つ第２の後部シェル２２２の前方に配置される第２の係止部２２６を有する。第２の係止部２２６は、第１の半径方向の位置とは異なる第２の外部コンタクト２１０に沿った第２の半径方向の位置に位置決めされる。ノーズコーン１１６は、ノーズコーン１１６が第１の外部コンタクト１２０に連結される時に第１の係止部１４４に係合するように構成され、且つ、ノーズコーン１１６が第２の外部コンタクト２２０に連結される時に第２の係止部２２６と係合するように構成されたラッチ１７６を有する。キーイングリブ１１８の向きは、ノーズコーン１１６が第１の外部コンタクト１２０に連結される場合、ノーズコーン１１６が第２の外部コンタクト２２０に結合される場合と比べて異なる。
【００５７】
図１０乃至図１３を更に参照すると、図１０は、正規の向きにある外部ハウジング１１０に取り付けられたノーズコーン３００乃至３０８を示す。図１１は、逆の向きにある外部ハウジング１１０に連結されたノーズコーン３００乃至３０８を示す。図１２は、正規の向きにある外部ハウジング２１０に連結されたノーズコーン３００乃至３０８を示す。図１３は、逆の向きにある外部ハウジング２１０に取り付けられたノーズコーン３００乃至３０８を示す。正規の向きにおいて、ノーズコーン３００乃至３０８は、対応するラッチが主係止部１４４，２２６と夫々係合する状態で外部ハウジング１１０，２１０に取り付けられる。逆の向きでは、ノーズコーン３００，３０８は、対応するラッチが副係止部１４６，２２８に夫々係合する状態で外部ハウジング１１０，２１０に取り付けられる。
【００５８】
外部ハウジング１１０，２１０及びノーズコーン３００乃至３０８を使用して定義された製品群は、７つの部品のみを使用して２０個の異なるキーイング形状を得る。７つの部品の製造は、２０個の個別の部品を製造するほど費用が掛からない。例えば、より少ない部材を製造する場合にツーリングコストが減少されてもよい。更に、製品群は、５つのプラスチック射出成形部品、即ち、ノーズコーン３００乃至３０８と共に、ダイキャスト部品、即ち、外部ハウジング１１０，２１０を２つだけ含む。製品群のツーリングコスト及び製造コストは、２つのダイキャスト部品と５つのプラスチック射出成形部品によって、２０個のキーイング形状を得るために２０個の個別のダイキャスト部品を有する製品群と比べ、大きく減少される。任意ではあるが、２つの外部ハウジング１１０，２１０は、係止部及びレールの箇所を変えるために異なる交換可能なツーリングを使用することによって、同一の形成された金属片（例えば、ダイキャスト成形品）から製造されてもよい。同様に、ノーズコーン３００乃至３０８は、キーイングリブの箇所を変えるために異なる交換可能なツーリングとともに単一の成形金型を使用して形成されてもよい。
【００５９】
製品群は、任意数のノーズコーン３００乃至３０８と共に第１及び第２の外部ハウジング１１０，２１０を含むキットとして一括して販売されてもよい。顧客は、このキットを使用して、ヘッダアセンブリにとって所望のキーイング形状を得るために外部ハウジング（単数又は複数）とノーズコーン（単数又は複数）を適切に組み合わせる。各ノーズコーン３００乃至３０８は、正規の向き又は逆の向きにおける外部ハウジング１１０に連結されてもよく、各ノーズコーン３００乃至３０８は、正規の向き又は逆の向きにおける外部ハウジング２１０に連結されてもよく、それによって、ノーズコーン３００乃至３０８毎に４つの異なるキーイング形状が得られる。その他の製品群は、その他の部品の組み合わせ、例えば、単一の外部ハウジングに対してノーズコーンを正規に取付けること及び逆向きに取付けること（又はその他の向き）を可能にする単一の外部ハウジングのみを含んでもよい。異なるキーイング形状を有するその他の種類のノーズコーンが提供されてもよい。
【００６０】
当然のことながら、上記の記述は一例であって、限定的なものではない。例えば、上述の実施形態（やそれらの態様）は、互いに組み合わせて使用されてもよい。更に、本発明の範囲から逸脱することなくその教示に特定の状況又は材料を適応させるために、多くの変更がなされてもよい。寸法、材料の種類、様々な部品の向き、及び本明細書に記述された様々な部品の個数及び位置は、特定の実施形態のパラメータを定義することを意図するものであり、決して限定するものではなく、例示的実施形態に過ぎない。本請求項の真髄及び範囲内の多くの他の実施形態及び変形は、上記の記述を再検討することにより、当業者には明らかである。従って、本発明の範囲は、添付の請求項を参照して、当該請求項に認められる等価物の全範囲とともに決定されるべきである。
【図１】
2015536554.tif 000003
【図２】
2015536554.tif 000004
【図３】
2015536554.tif 000005
【図４】
2015536554.tif 000006
【図５】
2015536554.tif 000007
【図６】
2015536554.tif 000008
【図７】
2015536554.tif 000009
【図８】
2015536554.tif 000010
【図９】
2015536554.tif 000011
【図１０】
2015536554.tif 000012
【図１１】
2015536554.tif 000013
【図１２】
2015536554.tif 000014
【図１３】
2015536554.tif 000015
【国際調査報告】
2015536554.tif 000016
2015536554.tif 000017